(57)【特許請求の範囲】
【請求項１】
放射線源から照射され被検体を透過した放射線を受けて放射線画像を検出する画像検出部であり、前記放射線画像の静止画撮影と動画撮影の両方が可能な画像検出部と、
前記画像検出部を収容する筐体と、
前記筐体に設けられ前記画像検出部へ電力を供給するためのバッテリとして、メインバッテリとは別の増設用バッテリユニットを装着可能なバッテリ装着部と、
前記増設用バッテリユニットが装着されているか否かを検知する装着検知部と、
静止画撮影を行うか動画撮影を行うかの選択指示を受け付ける指示受付部と、
前記指示受付部が動画撮影の選択指示を受け付けた場合において、前記装着検知部の検知結果に基づいて前記増設用バッテリユニットが装着されていないと判定した場合に、前記増設用バッテリユニットの装着を促す警告が行われるように制御する制御部とを備えていることを特徴とする可搬型放射線画像検出装置。
【請求項２】
前記筐体には、前記制御部の制御により、前記警告を発する警告部が設けられていることを特徴とする請求項１に記載の可搬型放射線画像検出装置。
【請求項３】
前記制御部は、前記選択指示の入力元となるコンソールを通じて警告が行われるように、前記コンソールに対して信号を送信することを特徴とする請求項１又は２に記載の可搬型放射線画像検出装置。
【請求項４】
前記制御部は、前記増設用バッテリユニットが装着されていないと判定した場合には、前記警告に加えて、前記動画撮影の実行を禁止する制御を行うことを特徴とする請求項１〜３のいずれか１項に記載の可搬型放射線画像検出装置。
【請求項５】
前記筐体には、商用電源から電力の供給を受けるための電源ケーブルを接続可能なコネクタが設けられており、
前記制御部は、前記電源ケーブルを通じて電力の供給を受けている場合には、前記増設用バッテリユニットの装着状態に関わらず、動画撮影を許容することを特徴とする請求項１〜４のいずれか１項に記載の可搬型放射線画像検出装置。
【請求項６】
前記バッテリ装着部は、前記増設用バッテリユニットの代わりに、前記画像検出部を動作させるための機能部ユニットを装着可能であることを特徴とする請求項１〜５のいずれか１項に記載の可搬型放射線画像検出装置。
【請求項７】
前記機能部ユニットは、前記画像検出部が出力する画像データを記憶するメモリユニットであることを特徴とする請求項６記載の可搬型放射線画像検出装置。
【請求項８】
前記制御部は、前記指示受付部が前記静止画撮影を行う選択指示を受け付けた場合において、前記メモリユニットの装着を促す警告が行われるように制御することを特徴とする請求項７記載の可搬型放射線画像検出装置。
【請求項９】
前記バッテリ装着部は、それぞれに前記増設用バッテリユニットが装着可能な第１及び第２の装着部を含む少なくとも２つの装着部からなることを特徴とする請求項１〜８のいずれか１項に記載の可搬型放射線画像検出装置。
【請求項１０】
前記筐体は、撮影台に対して着脱自在に取り付け可能であり、前記バッテリ装着部は、前記増設用バッテリユニットを、前記筐体の外面から突出しない状態で装着可能なことを特徴とする請求項１〜９のいずれか１項に記載の可搬型放射線画像検出装置。
【請求項１１】
放射線源から照射され被検体を透過した放射線を受けて放射線画像を検出する画像検出部であり、前記放射線画像の静止画撮影と動画撮影の両方が可能な画像検出部を有する可搬型放射線画像検出装置と、前記可搬型放射線画像検出装置に対して静止画撮影を行う動画撮影を行うかの選択指示を入力するコンソールとを備えた放射線撮影装置において、
前記可搬型放射線画像検出装置は、
前記画像検出部を収容する筐体と、
前記筐体に設けられ前記画像検出部へ電力を供給するためのバッテリとして、メインバッテリとは別の増設用バッテリユニットを装着可能なバッテリ装着部と、
前記増設用バッテリユニットが装着されているか否かを検知する装着検知部と、
前記コンソールから入力された前記選択指示を受け付ける指示受付部と、
前記指示受付部が動画撮影の選択指示を受け付けた場合において、前記装着検知部の検知結果に基づいて前記増設用バッテリユニットが装着されていないと判定した場合に、前記増設用バッテリユニットの装着を促す警告が行われるように制御する制御部とを備えていることを特徴とする放射線撮影装置。
【請求項１２】
放射線を照射する放射線源と、被検体を透過した前記放射線を受けて放射線画像を検出する画像検出部であり、前記放射線画像の静止画撮影と動画撮影の両方が可能な画像検出部を有する可搬型放射線画像検出装置と、前記可搬型放射線画像検出装置に対して静止画撮影を行う動画撮影を行うかの選択指示を入力するコンソールとを備えた放射線撮影システムにおいて、
前記可搬型放射線画像検出装置は、
前記画像検出部を収容する筐体と、
前記筐体に設けられ前記画像検出部へ電力を供給するためのバッテリとして、メインバッテリとは別の増設用バッテリユニットを装着可能なバッテリ装着部と、
前記増設用バッテリユニットが装着されているか否かを検知する装着検知部と、
前記コンソールから入力された前記選択指示を受け付ける指示受付部と、
前記指示受付部が動画撮影の選択指示を受け付けた場合において、前記装着検知部の検知結果に基づいて前記増設用バッテリユニットが装着されていないと判定した場合に、前記増設用バッテリユニットの装着を促す警告が行われるように制御する制御部とを備えていることを特徴とする放射線撮影システム。
【発明の詳細な説明】
【技術分野】
【０００１】
本発明は、被検体を透過した放射線を受けて放射線画像を検出する可搬型放射線画像検出装置及び放射線撮影装置並びに放射線撮影システムに関する。
【背景技術】
【０００２】
近年、放射線撮影、例えばＸ線撮影の分野において、Ｘ線フイルムやイメージングプレート（ＩＰ）に代わり、半導体素子を用いたフラットパネルディテクタ（以下、ＦＰＤという）を用いたＸ線画像検出装置が普及している。ＦＰＤは、Ｘ線の入射によって画素毎に蓄積される信号電荷を電圧信号に変換することによって被検体の画像情報を表すＸ線画像を検出する。ＦＰＤで検出されたＸ線画像は、デジタルな画像データとして出力される。
【０００３】
ＦＰＤを用いたＸ線画像検出装置には、立位又は臥位姿勢の被検者を撮影するための撮影台にＦＰＤが内蔵された据え置き型のものの他、可搬型の筐体にＦＰＤが内蔵された可搬型のＸ線画像検出装置（以下「電子カセッテ」という）も実用化されている。電子カセッテは、据え置き型に比べて被検者との相対的な位置決め（ポジショニング）の自由度が高いため、据え置き型では撮影しにくい部位（肘や膝の関節など）の撮影に用いられる他、撮影室までの移動が困難な被検者を病室の寝台に寝かせた状態で撮影したり、緊急時には被検者を車椅子に乗せた状態で撮影するなど、様々な使い方が可能である。
【０００４】
電子カセッテは、可搬性の観点から小型軽量化が進んでおり、さらに撮影の際のポジショニングの自由度のさらなる向上など使い勝手の向上を目的として、バッテリによる駆動を可能にするとともに、コンソールなどの外部装置との間での通信を無線化することで、電源ケーブルや通信ケーブルを無くすワイヤレス化を図ることが提案されている(例えば特許文献１参照)。
【０００５】
また、特許文献２及び３には、増設用のバッテリを着脱自在に装着可能な電子カセッテが記載されている。こうした電子カセッテによれば、必要に応じて増設用バッテリを装着することで、駆動時間を延ばすことができる。
【０００６】
電子カセッテは、静止画撮影の他に動画撮影に使用される場合がある。動画撮影は、静止画撮影の準備作業として、撮影部位に対して電子カセッテが正確にポジショニングされているかの確認や、被検者内にカテーテルを挿入する手技における、被検者内におけるカテーテルの位置確認を行うために実行される。動画撮影は、静止画撮影と比較して、動作時間が長くなるため消費電力が大きく、電子カセッテを動画撮影に使用する場合には、静止画撮影以上にバッテリの容量確保が重要となる。上記特許文献２及び３に記載の電子カセッテは、増設用バッテリを装着できるので消費電力が大きな動画撮影に便利である。
【０００７】
また、特許文献３には、増設用バッテリが装着されている状態でのみ、静止画撮影に加えて動画撮影も許容し、増設用バッテリが装着されていない状態では、動画撮影を禁止して、静止画撮影のみを許容する電子カセッテが記載されている。
【先行技術文献】
【特許文献】
【０００８】
【特許文献１】特開２００７−３３３３８０号公報
【特許文献２】特開２０１１−２０３７２４号公報
【特許文献３】特開２００８−０８３０３１号公報
【発明の概要】
【発明が解決しようとする課題】
【０００９】
動画撮影は電力消費が大きいので、特許文献３のように、増設用バッテリが装着されていない場合に動画撮影を禁止すれば、検査中のバッテリ切れによる撮影中断を防止することができる。撮影が中断されると、検査中にバッテリ交換作業や手技のやり直しが必要になる。これは、検査時間の長時間化を招き、また、被検者に無用な精神的な負担を強いることになるため、バッテリ切れによる撮影中断を防止する必要性は高い。
【００１０】
しかしながら、特許文献３のように、増設用バッテリが装着されていない場合に動画撮影を禁止するだけでは、次のような問題があった。上述のとおり、動画撮影は静止画撮影のための正確なポジショニングやカテーテルの位置確認のために行われる。静止画撮影のポジショニングのために動画撮影を行う場合でも、動画撮影の準備作業として、電子カセッテと被検者の撮影部位とのおおよそのポジショニングは必要になるし、カテーテルの位置確認の場合には、動画撮影のポジショニングに加えて、カテーテル手技を行うための準備作業を行った上で、動画撮影が開始される。そのため、こうした撮影準備作業を、増設用バッテリが装着されていない状態で誤って開始してしまい、撮影準備作業が終了した時点や終了間際の段階で増設用バッテリが装着されていないことが判明すると、増設用バッテリを装着するために、撮影準備作業をやり直さなければならない。
【００１１】
この場合には、当然ながら、検査時間が長時間化する上、被検者に無用な精神的な負担を強いることにもなる。さらに、動画撮影を行う場合に、Ｘ線源からＸ線の照射が開始された後に増設用バッテリが装着されていないことが判明した場合には、電子カセッテにおいて動画撮影が禁止されているため、その撮影は失敗に終わってしまう。そればかりか、撮影失敗の場合には被検者に対して無用な被曝を行う結果になるため、特に問題である。特許文献１〜３には、こうした課題及び解決策について明示や示唆もない。
【００１２】
本発明は、上記背景に鑑みてなされたもので、その目的は、可搬型放射線画像検出装置を用いた動画撮影を行う場合において、撮影準備作業の早い段階で増設用バッテリの装着忘れを通知することにある。
【課題を解決するための手段】
【００１３】
本発明の可搬型放射線画像検出装置は、放射線源から照射され被検体を透過した放射線を受けて放射線画像を検出する画像検出部であり、前記放射線画像の静止画撮影と動画撮影の両方が可能な画像検出部と、前記画像検出部を収容する筐体と、前記筐体に設けられ前記画像検出部へ電力を供給するためのバッテリとして、メインバッテリとは別の増設用バッテリユニットを装着可能なバッテリ装着部と、前記増設用バッテリユニットが装着されているか否かを検知する装着検知部と、静止画撮影を行うか動画撮影を行うかの選択指示を受け付ける指示受付部と、前記指示受付部が動画撮影の選択指示を受け付けた場合において、前記装着検知部の検知結果に基づいて前記増設用バッテリユニットが装着されていないと判定した場合に、前記増設用バッテリユニットの装着を促す警告が行われるように制御する制御部とを備えていることを特徴とする。
【００１４】
前記筐体には、前記制御部の制御により、前記警告を発する警告部が設けられていることが好ましい。前記制御部は、前記選択指示の入力元となるコンソールが警告部として機能するように、前記コンソールに対して警告信号を送信することが好ましい。
【００１５】
前記制御部は、前記増設用バッテリユニットが装着されていないと判定した場合には、前記警告に加えて、前記動画撮影の実行を禁止する制御を行ってもよい。
【００１６】
前記筐体には、商用電源から電力の供給を受けるための電源ケーブルを接続可能なコネクタが設けられており、前記制御部は、前記電源ケーブルを通じて電力の供給を受けている場合には、前記増設用バッテリユニットの装着状態に関わらず、動画撮影を許容することが好ましい。
【００１７】
前記バッテリ装着部は、前記増設用バッテリユニットの代わりに、前記画像検出部を動作させるための機能部ユニットを装着可能であることが好ましい。前記機能部ユニットは、例えば、前記画像検出部が出力する画像データを記憶するメモリユニットである。前記制御部は、前記指示受付部が前記静止画撮影を行う選択指示を受け付けた場合において、前記メモリユニットの装着を促す警告が行われるように制御することが好ましい。
【００１８】
前記バッテリ装着部は、それぞれに前記増設用バッテリユニットが装着可能な第１及び第２の装着部を含む少なくとも２つの装着部を有していてもよい。
【００１９】
前記筐体は、例えば、撮影台に対して着脱自在に取り付け可能であり、前記バッテリ装着部は、例えば、前記増設用バッテリユニットを、前記筐体の外面から突出しない状態で装着可能である。
【００２０】
本発明の放射線撮影装置は、放射線源から照射され被検体を透過した放射線を受けて放射線画像を検出する画像検出部であり、前記放射線画像の静止画撮影と動画撮影の両方が可能な画像検出部を有する可搬型放射線画像検出装置と、前記可搬型放射線画像検出装置に対して静止画撮影を行う動画撮影を行うかの選択指示を入力するコンソールとを備えた放射線撮影装置において、前記可搬型放射線画像検出装置は、前記画像検出部を収容する筐体と、前記筐体に設けられ前記画像検出部へ電力を供給するためのバッテリとして、メインバッテリとは別の増設用バッテリユニットを装着可能なバッテリ装着部と、前記増設用バッテリユニットが装着されているか否かを検知する装着検知部と、前記コンソールから入力された前記選択指示を受け付ける指示受付部と、前記指示受付部が動画撮影の選択指示を受け付けた場合において、前記装着検知部の検知結果に基づいて前記増設用バッテリユニットが装着されていないと判定した場合に、前記増設用バッテリユニットの装着を促す警告が行われるように制御する制御部とを備えていることを特徴とする。
【００２１】
本発明の放射線撮影システムは、放射線を照射する放射線源と、被検体を透過した前記放射線を受けて放射線画像を検出する画像検出部であり、前記放射線画像の静止画撮影と動画撮影の両方が可能な画像検出部を有する可搬型放射線画像検出装置と、前記可搬型放射線画像検出装置に対して静止画撮影を行う動画撮影を行うかの選択指示を入力するコンソールとを備えた放射線撮影システムにおいて、前記可搬型放射線画像検出装置は、前記画像検出部を収容する筐体と、前記筐体に設けられ前記画像検出部へ電力を供給するためのバッテリとして、メインバッテリとは別の増設用バッテリユニットを装着可能なバッテリ装着部と、前記増設用バッテリユニットが装着されているか否かを検知する装着検知部と、前記コンソールから入力された前記選択指示を受け付ける指示受付部と、前記指示受付部が動画撮影の選択指示を受け付けた場合において、前記装着検知部の検知結果に基づいて前記増設用バッテリユニットが装着されていないと判定した場合に、前記増設用バッテリユニットの装着を促す警告が行われるように制御する制御部とを備えていることが好ましい。
【発明の効果】
【００２２】
本発明によれば、可搬型放射線画像検出装置が動画撮影を行う指示を受け付けた場合において、増設用バッテリユニットが装着されているか否かを判定して、増設用バッテリユニットが装着されていない場合に警告を行うようにしたから、撮影準備作業の早い段階で増設用バッテリの装着忘れを通知することができる。
【図面の簡単な説明】
【００２３】
【図１】Ｘ線撮影システムの構成を示す概略図である。
【図２】コンソールの操作画面の説明図である。
【図３】臥位撮影台の斜視図である。
【図４】電子カセッテが取り付けられるトレイを示す斜視図である。
【図５】本発明の電子カセッテ（可搬型放射線画像検出装置）を示す斜視図である。
【図６】バッテリユニットのラッチ機構の説明図である。
【図７】ラッチ機構の係合を解除する操作ボタンの説明図である。
【図８】ＦＰＤの構成を示すブロック図である。
【図９】増設バッテリユニットが装着状態の電子カセッテの電気的構成を示すブロック図である。
【図１０】機能部ユニットが装着状態の電子カセッテの電気的構成を示すブロック図である。
【図１１】電子カセッテの動作手順を示すフローチャートである。
【図１２】コンソールの警告画面を示す説明図である。
【図１３】電子カセッテの背面側に装着されるパネル型の増設バッテリユニットを設けた変形例を示す斜視図である。
【図１４】バッテリと増設メモリを設けた機能部ユニットを示すブロック図である。
【図１５】商用電源からの電力の供給を受けるための電源ケーブルを接続可能なコネクタを設けた変形例を示す斜視図である。
【図１６】インジケータ付きのバッテリユニットの説明図である。
【図１７】筐体の角部を切り欠いて形成した装着部の説明図である。
【図１８】対向する２側面にそれぞれ装着部を設けた例の説明図である。
【図１９】１つの側面に２つの装着部を設けた例の説明図である。
【図２０】装着部に開閉自在の蓋を設けた例の説明図である。
【図２１】図２０の例の動作説明図である。
【図２２】ガイド片付きのバッテリユニットの説明図である。
【図２３】立位撮影台を使用する例の説明図である。
【発明を実施するための形態】
【００２４】
［第１実施形態］
図１において、Ｘ線撮影システム１０は、Ｘ線発生装置１１と、Ｘ線撮影装置１２とからなる。Ｘ線発生装置１１は、Ｘ線源１３と、Ｘ線源１３を制御する線源制御装置１４と、照射スイッチ１５とで構成される。Ｘ線源１３は、Ｘ線を照射するＸ線管１３ａと、Ｘ線管１３ａが照射するＸ線の照射野を限定する照射野限定器（コリメータ）１３ｂとを有する。
【００２５】
Ｘ線管１３ａは、熱電子を放出するフィラメントからなる陰極と、陰極から放出された熱電子が衝突してＸ線を放射する陽極（ターゲット）とを有している。照射野限定器１３ｂは、例えば、Ｘ線を遮蔽する複数枚の鉛板を井桁状に配置し、Ｘ線を透過させる照射開口が中央に形成されたものであり、鉛板の位置を移動することで照射開口の大きさを変化させて、照射野を限定する。Ｘ線発生装置１１は、例えばＸ線撮影室の天井に移動かつ伸縮自在に設置された支柱に保持され、Ｘ線撮影装置１２の上方に配置されている。
【００２６】
線源制御装置１４は、Ｘ線源１３に対して高電圧を供給する高電圧発生器と、Ｘ線源１３が照射するＸ線の線質（エネルギースペクトル）を決める管電圧（ｋＶ）、単位時間当たりの線量を決める管電流（ｍＡ）、およびＸ線の照射時間（ｓ）を制御する制御部とからなる。高電圧発生器は、トランスによって入力電圧を昇圧して高圧の管電圧を発生し、高電圧ケーブルを通じてＸ線源１３に駆動電力を供給する。管電圧と、照射線量を規定する、管電流及び照射時間の積であるｍＡｓ値といった撮影条件は、操作パネル１４ａを通じて放射線技師や医師などのオペレータにより手動で、線源制御装置１４に設定される。
【００２７】
照射スイッチ１５は、線源制御装置１４に信号ケーブルで接続されており、オペレータによって操作される。照射スイッチ１５は二段階押しのスイッチであり、一段階押しでＸ線源１３のウォームアップを開始させるためのウォームアップ開始信号を発生し、二段階押しでＸ線源１３に照射を開始させるための照射開始信号を発生する。これらの信号は信号ケーブルを通じて線源制御装置１４に入力される。
【００２８】
線源制御装置１４は、照射スイッチ１５からの制御信号に基づいてＸ線源１３の動作を制御する。照射スイッチ１５から照射開始信号を受けると、線源制御装置１４は、Ｘ線源１３に対して開始指令を発して電力供給を開始する。これによりＸ線源１３は照射を開始する。
【００２９】
また、線源制御装置１４は、Ｘ線撮影装置１２と有線又は無線により通信可能に接続されており、Ｘ線撮影装置１２に対して、Ｘ線源１３の照射タイミングとＸ線撮影装置１２の動作タイミングを同期させるための同期信号を送信する。
【００３０】
Ｘ線撮影装置１２は、電子カセッテ２１、臥位撮影台２２、撮影制御装置２３、およびコンソール２４から構成される。臥位撮影台２２は、電子カセッテ２１が着脱自在に取り付けられ、Ｘ線が入射する入射面がＸ線源１３と対向する姿勢で電子カセッテ２１を保持する。電子カセッテ２１は、Ｘ線画像を検出する画像検出部としてのＦＰＤ２５を備えている。
【００３１】
撮影制御装置２３は、有線方式や無線方式により電子カセッテ２１と通信可能に接続されており、電子カセッテ２１を制御する。具体的には、電子カセッテ２１に対して撮影条件を送信して、ＦＰＤ２５の信号処理の条件を設定させるとともに、Ｘ線源１３の照射タイミングとＦＰＤ２５の動作を同期させるための同期信号をＸ線発生装置１１から受信して、これを電子カセッテ２１に送信することにより、Ｘ線源１３とＦＰＤ２５の同期制御を行う。
【００３２】
また、撮影制御装置２３は、電子カセッテ２１が出力する画像データを受信してコンソール２４に送信する。コンソール２４は、電子カセッテ２１から受信したＸ線画像に対して各種画像処理を施して、ディスプレイ２６に表示させる。加えて、Ｘ線画像の画像データに対して、撮影条件や患者情報などの情報を付帯情報として付加して、ＤＩＣＯＭ（Digital Imaging and COmmunication in Medicine）などの医用画像フォーマットのファイルに変換する。変換された画像データは、コンソール２４内のハードディスクやメモリ、あるいはコンソール２４とネットワーク２７を介して接続された画像サーバ２８といったデータストレージデバイスに格納される。
【００３３】
コンソール２４は、検査オーダの入力を受け付けて、検査オーダをディスプレイに表示する。検査オーダは、ＨＩＳ（病院情報システム）やＲＩＳ（放射線情報システム）といった患者情報や放射線検査に係る検査情報を管理するオーダ管理システム２９からＬＡＮなどのネットワーク２７を通じて入力されるか、または、オペレータにより手動入力される。
【００３４】
検査オーダは、患者単位で作成される。１件の検査オーダには、依頼元情報（医師ＩＤ、診療科名など）、患者情報（患者名、患者ＩＤなど）、撮影オーダが含まれる。１件の検査オーダに対して、撮影オーダが１件だけの場合もあれば、複数件の撮影オーダが含まれる場合もある。１件の撮影オーダには、頭部、胸部、腹部などの撮影部位と、正面、側面、斜位、ＰＡ（Ｘ線を被検者の背面から照射）、ＡＰ（Ｘ線を被検者の正面から照射）といった撮影方向と、立位、臥位などの撮影体位とからなる術式を指定する術式指定情報が含まれる。オペレータは、撮影オーダの内容をコンソール２４のディスプレイ２６で確認し、その内容に応じた撮影条件をコンソール２４の操作画面を通じて入力する。
【００３５】
図２において、検査オーダ表示画面２６１は、コンソール２４の操作画面の１例であり、受信済みの検査オーダの中から選択された１件の検査オーダの内容を表示した状態を示す。検査オーダ表示画面２６１には、検査オーダのＩＤ、患者名、患者ＩＤ、性別、年齢といった患者情報を表示する患者情報表示領域２６２と、１件の検査オーダに含まれる撮影オーダを表示する撮影オーダ表示領域２６３と、撮影したＸ線画像を表示する画像表示領域２６５が設けられている。撮影オーダ表示領域２６３の下方には、選択された撮影オーダに対して撮影条件を設定するための撮影条件設定ボタン２６４と、撮影モードを選択する撮影モード選択ボックス２６６が設けられている。符号２６８ａは、入力した内容を確定するＯＫボタンであり、符号２６８ｂは、入力した内容をキャンセルするキャンセルボタンであり、符号２６８ｃは、検査オーダ表示画面２６１を終了する終了ボタンである。
【００３６】
撮影オーダ表示領域２６３には、複数件の撮影オーダがある場合には、複数件の撮影オーダがリスト形式で一覧表示される。本例では、２件の撮影オーダが含まれている例を示している。撮影オーダ表示領域２６３内において、各撮影オーダの表示欄２６３ａには、「胸部立位正面（Ｐ−Ａ）」のように、各撮影オーダの術式指定情報が表示される。
【００３７】
表示欄２６３ａの１つが、コンソール２４の入力デバイスであるマウスなどのポインタ２６９でクリック操作されると、その表示欄２６３ａに対応する１件の撮影オーダが指定される。指定された撮影オーダの表示欄２６３ａはハイライト表示され、指定されていない他の撮影オーダと識別可能に表示される。本例では、撮影オーダ１が指定された状態を示している。
【００３８】
画像表示領域２６５には、撮影済みのＸ線画像のうち最新の画像が表示される。本例では、撮影オーダ１に対応するＸ線画像が表示されている。もちろん、撮影済みの複数のＸ線画像の中から選択された画像を画像表示領域２６５に表示することも可能である。
【００３９】
撮影条件設定ボタン２６４をクリックすると、図示しないサブウインドウが開く。サブウインドウ内には、管電圧、管電流、照射時間といった撮影条件を入力するための入力ボックスが表示される。マウスのクリック操作や、コンソール２４の入力デバイスであるキーボードなどの操作により、入力ボックスに対して撮影条件を表す数値が入力される。
【００４０】
また、撮影モード選択ボックス２６６をクリックすると、図示しないプルダウンメニューが表示され、プルダウンメニューには、「静止画撮影モード」と「動画撮影モード」のそれぞれの選択項目が用意されている。マウスのクリック操作やキーボード操作により、いずれかの選択項目が選択されると、撮影モード選択ボックス２６６に撮影モードの選択指示が入力される。図２においては、動画撮影モードが選択された状態を示している。ＯＫボタン２６８ａがクリックされると、入力した内容が確定されて、撮影モードの選択指示が確定する。
【００４１】
動画撮影は、例えば、撮影オーダで指定される静止画撮影のためのポジショニングに使用される他、被検者Ｈにカテーテルを挿入する手技を行う際にカテーテルの挿入位置を確認するめのモニタとして利用される。動画撮影を行う場合においても、静止画撮影と同様に、管電圧や管電流といった撮影条件が設定される。一般に、動画撮影の場合には、静止画撮影と比較して、管電流は低めに設定され、Ｘ線の線量が抑えられる。また、動画撮影の場合には、単位時間当たりの撮像回数であるフレームレートが撮影条件として設定される。また、動画撮影では、静止画撮影と比べて解像度は低く設定される。
【００４２】
こうして設定された撮影条件が撮影制御装置２３を介して電子カセッテ２１に設定されるとともに、オペレータは同じ内容の撮影条件を、操作パネル１４ａを通じて線源制御装置１４に設定する。Ｘ線発生装置１１において、静止画撮影が選択された場合には、Ｘ線源１３は、照射スイッチ１５の押下操作によって１枚分の静止画を得るためのＸ線の照射が行われ、撮影条件で設定された照射時間経過後にＸ線の照射が停止する。また、動画撮影が選択された場合には、Ｘ線源１３は、照射スイッチ１５の押下操作によってＸ線源１３が照射を開始し、照射終了指示が入力されるまでの間、連続的にＸ線の照射を行うか、あるいはフレームレートに合わせて断続的にパルス照射を行う。
【００４３】
図１及び図３において、臥位撮影台２２には電子カセッテ２１が取り付けられるトレイ３０が設けられている。Ｘ線撮影システム１０では、電子カセッテ２１をトレイ３０に取り付けた状態で撮影が行われる他、トレイ３０に電子カセッテ２１を取り付けた状態では撮影がしにくい撮影部位（肘や膝の関節など）については、電子カセッテ２１をトレイ３０から取り外し、臥位撮影台２２上で電子カセッテ２１と被検者Ｈのポジショニングを行って撮影が行われる。
【００４４】
臥位撮影台２２は、天板３１と、天板３１の下に設けられた撮影台本体３２とを備える。天板３１は、被検者Ｈが横たわることができる長さ及び幅を有する長方形状であり、被検者Ｈが載る天面が水平になるように撮影台本体３２の上に配置されている。天板３１は、Ｘ線の透過率が高いカーボン等で形成されている。
【００４５】
撮影台本体３２は、天板支持部３３と、トレイ３０と、昇降部３４とを備えている。天板支持部３３は、天板３１をＸＹ方向において移動できるように支持するフローティング機構（図示せず）を備えている。フローティング機構には、操作者が手動で天板を移動させる手動式と、電動機構などで自動的に移動させる自動式とがあるが、本実施形態では電動機構による自動式としている。また、操作者が臥位撮影台２２で撮影操作を行う際に位置する、臥位撮影台２２の前面側には、天板支持部３３を操作する操作パネル３５が設けられている。
【００４６】
トレイ３０は、天板３１の下方、かつ天板支持部３３の間に設けられている。トレイ３０は、前面に設けられた把手３０ａを前面側に引くことにより、天板３１の下から引き出せるようになっている。また、トレイ３０は、図示しないスライド機構によりＸ方向に移動する。スライド機構にも上述したフローティング機構と同様に手動式と自動式とがあるが、本実施形態では自動式としている。スライド機構の操作にも操作パネル３５が用いられる。
【００４７】
昇降部３４は、天板３１と、天板支持部３３及びトレイ３０を昇降させる電動式の昇降機構（図示せず）と、昇降機構の周囲を覆う伸縮自在なベローズ型カバー３４ａとを備えている。この昇降機構も操作パネル３５によって操作される。
【００４８】
図４に示すように、トレイ３０は、電子カセッテ２１が着脱自在に取り付けられる取り付け部である。電子カセッテ２１は、Ｘ線が照射される照射面とは反対側の背面をトレイ３０に向けた状態で取り付けられる。トレイ３０の上面には、電子カセッテ２１が不用意に動かないようにその外形サイズに合わせて切り欠かれた開口部３０ｂが形成されている。開口部３０ｂは、臥位撮影台２２の前面方向から電子カセッテ２１を挿入できるように、トレイ３０の前面も切り欠かれている。
【００４９】
開口部３０ｂは、トレイ３０の上方から見ると、略Ｌ字状になっている。これは、平面形状が長方形の電子カセッテ２１を縦姿勢と横姿勢の２つの取り付け姿勢で収容するためである。縦姿勢は、電子カセッテ２１の長辺方向が天板３１の長辺方向と平行な姿勢であり、横姿勢は、電子カセッテ２１の長辺方向が天板３１の長辺方向と直交する姿勢である。
【００５０】
図５に示すように、電子カセッテ２１は、ＦＰＤ２５と、ＦＰＤ２５を収容する筐体３６とを備えている。ＦＰＤ２５の背面側には、Ｘ線のバック散乱線を吸収する鉛板３７、鉛板３７の背面側には回路基板（図示せず）が配置されている。
【００５１】
筐体３６は、平面形状が長方形の偏平な略直方体形状をしており、より具体的には、Ｘ線が照射される照射面３６ａ及び照射面３６ａと対向する背面３６ｂがほぼ長方形をしており、照射面３６ａ及び背面３６ｂの４辺のそれぞれに沿った側面３６ｃ〜３６ｆとを有している。筐体３６は、ＦＰＤ２５の検出面（Ｘ線が入射する面）に対応する領域が開口したステンレスやアルミニウム製の筐体のケース本体と、Ｘ線を透過可能な材質（カーボンなど）で形成され、ケース本体の開口部に嵌め込まれて、Ｘ線の照射を受ける照射面３６ａを構成する平板とからなる。
【００５２】
筐体３６は、例えば、半切サイズ（３８３．５ｍｍ×４５９．５ｍｍ）のフイルム用またはＩＰ用のカセッテと同様の国際規格ＩＳＯ４０９０：２００１に準拠した外形サイズを有しており、フイルム用又はＩＰ用のカセッテに使用される撮影台に取り付けて使用することが可能である。電子カセッテ２１の外形サイズは、前述した半切サイズの他、四切サイズ、六切サイズ等があり、撮影部位に応じて適宜選択される。
【００５３】
筐体３６には、２つのバッテリユニット３８，３９を装着するための第１及び第２の装着部４１，４２が設けられている。第１及び第２の装着部４１，４２の少なくとも１つにバッテリユニット３８，３９のいずれかが装着されていれば、電子カセッテ２１は、バッテリからの電源供給によって動作することが可能であり、バッテリユニット３８，３９の一方がメインバッテリとして機能する。第１及び第２の装着部４１，４２のうちメインバッテリが装着されていない方の装着部が、増設用バッテリユニットを装着するためのバッテリ装着部となる。
【００５４】
また、第１及び第２の装着部４１，４２には、バッテリユニット３８，３９の他に、メモリユニット４０を装着することが可能である。メモリユニット４０は、電子カセッテ２１の機能を拡張するための機能部品であり、後述するように、本例においては画像データを記憶するためのメモリユニットである。
【００５５】
動画撮影は、静止画撮影と比較して消費電力が大きいため、動画撮影を行う場合にはバッテリの容量確保が重要である。一方、静止画撮影においては、動画撮影の場合と比較して、撮影した画像データを電子カセッテ２１に保存しておく必要性が高い。
【００５６】
というのは、撮影した動画は、ポジショニングやカテーテル位置確認に用いられるものなので、電子カセッテ２１からコンソール２４に送信されてコンソール２４において表示された後、順次破棄される場合が多い。
【００５７】
これに対して、撮影した静止画は診断に用いられる画像であるので、コンソール２４に送信されて表示された後も、コンソール２４や画像サーバ２８において保存される。電子カセッテ２１からコンソール２４へのデータ送信が適正に行われれば、送信後のデータを電子カセッテ２１に保存しておく必要はない。しかし、電子カセッテ２１からコンソール２４へのデータ送信が失敗することも考えられる。特に、電子カセッテ２１とコンソール２４の間の通信方式として、有線方式と比べて信頼性が劣る無線方式を採用する場合には問題となる。電子カセッテ２１に送信済みのデータが保存されていれば、データ送信が失敗した場合でも再送信が可能となる。このように、電子カセッテ２１において送信済みのデータが残っていない場合には、再撮影が必要になるため、電子カセッテ２１において、送信済みの静止画のデータを少なくとも一定期間、静止画保存機能を備えておくことは非常に有効である。
【００５８】
こうした事情を考慮して、電子カセッテ２１においては、第１及び第２の装着部４１，４２の一方に対して、動画撮影の場合にはバッテリユニットを増設し、静止画撮影の場合にはメモリユニット４０を増設するというように、撮影モードに応じてバッテリユニットとメモリユニット４０の使い分けができるようになっている。
【００５９】
図３においては、第１の装着部４１にメモリユニット４０が、第２の装着部４２にバッテリユニット３８が装着されている状態を示しており、図４では、第１及び第２の装着部４１、４２に、それぞれバッテリユニット３８，３９が装着されている状態を示している。
【００６０】
装着部４１，４２は、筐体３６の平面（照射面３６ａ及び背面３６ｂ）の４つの頂点付近に位置する角部にそれぞれ配置されている。装着部４１，４２は、それぞれ、バッテリユニット３８，３９又はメモリユニット４０を収納する収納室４１ａ，４２ａと、バッテリユニット３８，３９又はメモリユニット４０を収納室４１ａ，４２ａに着脱するための取り出し口４１ｂ，４２ｂとを有している。
【００６１】
収納室４１ａ，４２ａは、バッテリユニット３８，３９又はメモリユニット４０の外形に対応した略角筒状の形状を持ち、取り出し口４１ｂ，４２ｂを開口とした有底の凹部である。取り出し口４１ｂ，４２ｂは、それぞれ側面３６ｃや側面３６ｄの１つの側面に収まる大きさであり、取り出し口４１ｂ，４２ｂのそれぞれが、他の側面、照射面３６ａ及び背面３６ｂに跨がらないように形成されている。このため、収納室４１ａ，４２ａに収納された状態では、バッテリユニット３８，３９又はメモリユニット４０の周面は、筐体３６の照射面３６ａ及び背面３６ｂ側に露出しない。このため、フイルムまたはＩＰ用のカセッテ用の撮影台に対しても問題無く装着することができる。
【００６２】
装着部４１の取り出し口４１ｂは、長辺方向に沿って配置される１つの側面３６ｃに形成されており、装着部４２の取り出し口４２ｂは、側面３６ｃと直交する短辺方向に沿って配置される１つの側面３６ｄに形成されている。
【００６３】
撮影台の多くは、電子カセッテ２１を取り付けるトレイやスロットなどの取り付け部が、電子カセッテ２１を取り付けたときにその側面だけが露呈される形態である。そのため、側面に第１及び第２の装着部４１，４２を設けておけば、各種の撮影台に対応させることができる。
【００６４】
また、電子カセッテ２１を撮影台のトレイやスロットに取り付けて使用する以外でも、被検者Ｈの四肢撮影を行う場合には、撮影台や寝台などの天板上に電子カセッテ２１を載せて単体で使用される（撮影台に取り付けない）ことが多い。この場合には、電子カセッテ２１は、その背面を下向きにして天板上に載置されるので、第１及び第２の装着部が、筐体３６の側面に設けられていれば、バッテリユニット３８，３９の交換がしやすい。
【００６５】
バッテリユニット３８，３９は、本体部であるバッテリ６６，６７（図９参照）と、バッテリ６６，６７を収納する略直体状のケースと、ケースの１つの端面から突出する凸型のコネクタ４３，４４とが設けられている。バッテリ６６，６７は、充電が可能な電池であり、バッテリユニット３８，３９を、クレードルなどの充電器に接続して充電することが可能である。
【００６６】
バッテリ６６，６７の種類としては、ニッケルカドミウム、ニッケル水素、リチウムイオンなどの二次電池の他、電気二重層キャパシタ、リチウムイオンキャパシタなどのキャパシタでもよい。電子カセッテ２１のバッテリ６６，６７の性能としては、小型であること、比較的容量が大きいこと、充電時間が短いことなどが求められる。リチウムイオン二次電池は、他の二次電池と比較してエネルギー密度が高く小型で大容量という特長を備えているので、小型化、大容量化を求める場合にはリチウムイオン二次電池が好ましい。また、キャパシタは、急速充電が可能であるため、充電時間の短縮化を求める場合にはキャパシタが好ましい。
【００６７】
また、近年においては、ナノ微粒子を利用することにより、キャパシタに匹敵する急速充電性能を備えたリチウムイオン二次電池や、急速充電性能とともに高いエネルギー密度も併せ持つリチウムイオンキャパシタなどの新型電池も開発されており、バッテリ６６，６７としてはこれらを使用することがさらに好ましい。
（http://www.toshiba.co.jp/about/press/2005_03/pr_j2901.htm
http://www.jmenergy.co.jp/img/JMenergy2009.pdf参照）
【００６８】
なお、２つのバッテリユニット３８，３９としては、同一の種類でもよいし、例えば一方が大容量型で他方が急速充電型というように、種類や特性が異なってもよい。これらは、目的に応じて適宜選択される。
【００６９】
メモリユニット４０は、増設用メモリとして機能する機能部ユニットである。メモリユニット４０は、不揮発性メモリであるフラッシュメモリ６８（図１０参照）と、フラッシュメモリ６８を収納し、バッテリユニット３８，３９と同じ外形の略直体状のケースと、ケースの１つの端面から突出し、コネクタ４３，４４と同じ外形の凸型のコネクタ４５とを有している。
【００７０】
装着部４１，４２の収納室４１ａ，４２ａの奥には、コネクタ４３，４４，４５と接続されるソケット４６，４７が設けられている。ソケット４６，４７は、バッテリユニット３８，３９又はメモリユニット４０と電気的に接続するための端子を有する接続部であり、凸型のコネクタ４３，４４，４５と嵌合するように凹型をしている。各収納室４１ａ，４２ａのそれぞれのソケット４６，４７の向きは、各取り出し口４１ｂ，４２ｂの向きにそれぞれ対応しており、互いに直交している。
【００７１】
収納室４１ａ，４２ａは、コネクタ４３，４４，４５とソケット４６，４７が接続された装着状態のときに、バッテリユニット３８，３９又はメモリユニット４０の外面が筐体３６の外面から突出しない状態でバッテリユニット３８，３９又はメモリユニット４０を収容可能な大きさを有する。
【００７２】
また、装着部４１，４２からバッテリユニット３８，３９又はメモリユニット４０を取り外すとき、バッテリユニット３８，３９又はメモリユニット４０の端部を把持しやすいように、取り出し口４１ｂ，４２ｂの周縁には指先の一部を挿入可能な切り欠き４８が形成されている。
【００７３】
また、取り出し口４１ｂ，４２ｂの近傍の側面３６ｃ，３６ｄには、インジケータ４９が設けられている。インジケータ４９は、電子カセッテ２１の電源のオンオフの状態、通信状態、バッテリユニット３８，３９の残量などを表示する。インジケータ４９は、複数個のＬＥＤからなるインジケータランプや液晶パネルなどで構成される。バッテリユニット３８，３９の残量としては、例えば、各装着部４１，４２に装着されるバッテリユニット３８，３９毎の残量に加えて、２つの装着部４１，４２にバッテリユニット３８，３９が装着されている場合には、２つのバッテリユニット３８，３９の残量の合計が表示される。
【００７４】
また、インジケータ４９は、後述するように、第１及び第２の装着部４１，４２に対して、増設用のバッテリユニットやメモリユニット４０の装着を促す警告部としても機能する。
【００７５】
なお、本例においては、凸型のコネクタ４３，４４，４５をバッテリユニット３８，３９又はメモリユニット４０に、凹型のソケット４６を装着部４１，４２に設けた例で説明したが、その反対に、凸型のコネクタを装着部４１，４２に、凹型のソケットをババッテリユニット３８，３９又はメモリユニット４０に設けてもよい。また、バッテリユニット３８，３９又はメモリユニット４０と装着部４１，４２の各接続部の形状は、凹凸が無い形態も考えられるので、適宜変更が可能である。
【００７６】
図６に示すように、装着部４１は、収納室４１ａの奥に、ラッチ機構５０を有している。ラッチ機構５０は、図示しない係合爪を有しており、バッテリユニット３８，３９又はメモリユニット４０と係合して、コネクタ４３，４４，４５とソケット４６とが電気的に接続する装着位置で固定する。ラッチ機構５０には、バッテリユニット３８，３９を収納室４１ａの奥から取り出し口４１ｂに向けて付勢するバネ５０ａが設けられている。バッテリユニット３８，３９又はメモリユニット４０が取り出し口４１ｂから収納室４１ａの奥に向けて押し込まれると、ラッチ機構５０の係合爪とバッテリユニット３８，３９又はメモリユニット４０が係合して、その係合によりバネ５０ａの付勢に抗してバッテリユニット３８，３９又はメモリユニット４０が装着位置に固定される。装着状態のバッテリユニット３８，３９又はメモリユニット４０が取り出し口４１ｂ方向から収納室４１ａの奥に向けて押し込まれると、ラッチ機構５０の係合が解除される。係合が解除されると、バッテリユニット３８，３９又はメモリユニット４０はバネ５０ａの付勢力によって取り出し口４１ｂから突出する。装着部４１を例に説明したが、装着部４２についても同様である。
【００７７】
もちろん、図７に示すように、取り出し口４１ｂの近傍にラッチ機構５０の係合を解除する操作ボタン５０ｂを設けて、操作ボタン５０ｂの押下によってバッテリユニット３８，３９又はメモリユニット４０を取り出すようにしてもよい。
【００７８】
図８に示すように、ＦＰＤ２５は、ＴＦＴアクティブマトリクス基板５１上に、Ｘ線を吸収して電荷に変換する電荷発生層が積層されて構成されている。電荷発生層は例えばセレンを主成分（例えば含有率５０％以上）とする非晶質のａ−Ｓｅ（アモルファスセレン）から成り、Ｘ線が照射されると、照射されたＸ線量に応じた電荷量の電荷（電子−正孔の対）を内部で発生することで、照射されたＸ線を電荷へ変換する。もちろん、ＦＰＤ２５としては、Ｘ線をＣＳＩ（ヨウ化セシウム）やＧＯＳ（ガドリニウムオキシサルファイド）といったシンチレータによって可視光に変換した後、フォトダイオードなどの光電変換手段によって電荷に変換する間接変換型でもよい。
【００７９】
ＴＦＴアクティブマトリクス基板５１上には、電荷発生層で発生された電荷を蓄積する蓄積容量と、蓄積容量に蓄積された電荷を読み出すためのＴＦＴを備えた画素５２がマトリクス状に多数個配置されており、これらの画素５２によって入射するＸ線を検出する検出面が構成される。検出面に入射するＸ線の入射量に応じて電荷発生層で発生された電荷は、個々の画素５２の蓄積容量に蓄積される。これにより、照射面３６ａから入射したＸ線に担持された、被検者Ｈの画像情報は、電荷情報へ変換されてＴＦＴアクティブマトリクス基板５１に保持される。
【００８０】
ＴＦＴアクティブマトリクス基板５１には、一定方向（行方向）に延設され個々の画素５２のＴＦＴのゲートをオンオフさせるための複数本のゲート配線５３と、ゲート配線５３と直交する方向（列方向）に延設されオンされたＴＦＴを介して蓄積容量から蓄積電荷を読み出すための複数本のデータ配線５４が設けられている。個々のゲート配線５３はゲートドライバ５５に接続されており、個々のデータ配線５４は信号処理部５６に接続されている。個々の画素５２の蓄積容量に電荷が蓄積されると、個々の画素５２のＴＦＴは、ゲートドライバ５５からゲート配線５３を介して供給される信号により行単位で順にオンされ、ＴＦＴがオンされた画素５２の蓄積容量に蓄積されている電荷は、電荷信号としてデータ配線５４を伝送されて信号処理部５６に入力される。
【００８１】
信号処理部５６は、個々のデータ配線毎に設けられた増幅器及びサンプルホールド回路を備えており、個々のデータ配線を伝送された電荷信号は増幅器で増幅された後にサンプルホールド回路に保持される。また、サンプルホールド回路の出力側にはマルチプレクサ、Ａ／Ｄ変換器が順に接続されており、個々のサンプルホールド回路に保持された電荷信号はマルチプレクサに順に（シリアルに）入力され、Ａ／Ｄ変換器によってデジタルの画像データへ変換される。信号処理部５６のＡ／Ｄ変換器から出力された画像データは、画像メモリ５７に順に記憶される。画像メモリ５７は、少なくとも１枚分のＸ線画像が記憶可能な記憶容量を有しているが、複数枚分のＸ線画像が記憶可能な記憶容量を有するのが好ましい。また、図１０に示すように、メモリユニット４０が装着されている場合には、画像メモリ５７に加えて、メモリユニット４０が画像データ保存用のメモリとして用いられる。
【００８２】
図９及び図１０に示すように、電子カセッテ２１には、制御部６０（指示受付部）、電源回路６１、操作部６２、通信部６３、装着検知部６４が設けられている。制御部６０は、電子カセッテ２１全体の制御を司るＣＰＵ、ＣＰＵが実行するプログラムが格納されたＲＯＭ、ＲＯＭからロードされたプログラムを展開し、ＣＰＵが処理を実行するために使用するワークメモリであるＲＡＭ、各種設定情報が記憶されるＥＥＰＲＯＭなどを含んだマイクロコンピュータで構成されている。操作部６２は、電源ボタンなどからなる。
【００８３】
電源回路６１は、バッテリユニット３８，３９のバッテリ６６，６７から供給される電圧を、電子カセッテ２１の各部が必要な電圧に変換するＤＣ−ＤＣコンバータなどからなり、バッテリ６６，６７からの電力を電子カセッテ２１の各部に供給する。また、電源回路６１は、各装着部４１，４２に装着されたバッテリ６６，６７が供給する電圧レベルを、制御部６０に出力する。制御部６０は、電源回路６１から出力される電圧値に基づいて、各バッテリ６６，６７の残量を検出し、検出した残量を表示するように各インジケータ４９を作動させる。例えば、制御部６０は、電圧値が閾値より低下した場合には、残量切れと判定し、各インジケータ４９にその旨を表示させる。
【００８４】
装着検知部６４は、ソケット４６，４７を介してバッテリユニット３８，３９、メモリユニット４０の信号ラインの出力を検出することにより、装着部４１，４２にバッテリユニット３８、３９やメモリユニット４０が装着されているか否かを検知する。ソケット４６，４７のそれぞれには、バッテリユニット３８，３９からの信号ライン、メモリユニット４０からの信号ラインを接続する端子及び信号ラインが設けられている。このため、第１及び第２の装着部４１，４２には、バッテリユニット３８，３９、メモリユニット４０を相互に入れ替えて装着することが可能であるとともに、各装着部４１，４２に、バッテリユニット３８，３９とメモリユニット４０のどちらが装着されているかを識別することができる。つまり、装着検知部６４及び制御部６０は、各装着部４１，４２に、バッテリユニット３８，３９やメモリユニット４０などの機能拡張用の機能部ユニットが装着されているか否か、及び装着されている機能部ユニットの種類を判定する装着状態判定部として機能する。
【００８５】
通信部６３は、撮影制御装置２３との通信を行い、撮影モード指示が含まれる撮影条件を撮影制御装置２３から受信するとともに、コンソール２４に対して画像メモリ５７内の画像データを送信する。
【００８６】
制御部６０は、撮影制御装置２３を通じてコンソール２４から送信される撮影条件や撮影モード選択指示を受け付ける。制御部６０は、撮影モード選択指示を受け付けると、装着検知部６４の検知結果に基づいて、第１及び第２の装着部４１，４２の装着状態を判定する。上述したとおり、静止画撮影の場合には、メモリユニット４０が増設されていることが好ましく、動画撮影の場合には、バッテリユニットが増設されていることが好ましい。制御部６０は、撮影モードに応じて適切なユニットが装着されているか否かを判定して、適切なユニットが装着されていない場合に警告を行う。
【００８７】
以下、具体的な手順について、図１１に示すフローチャートを参照しながら説明する。電子カセッテ２１をバッテリ駆動によって使用する場合には、第１及び第２の装着部４１，４２の少なくとも一方にバッテリユニット３８，３９のいずれかが装着されている状態で、電子カセッテ２１が起動される。
【００８８】
オペレータは、図２に示す検査オーダ表示画面２６１を通じて、撮影条件や撮影モードの選択指示をコンソール２４に入力する。コンソール２４は、入力された撮影条件及び撮影モード選択指示を、撮影制御装置２３を通じて電子カセッテ２１に送信する。電子カセッテ２１において、受信した撮影条件及び撮影モード選択指示は制御部６０によって受け付けられる（Ｓ１０１）。制御部６０は、撮影条件に応じて、信号処理条件（アンプのゲイン設定など）を決定する。そして、制御部６０は、撮影モード選択指示を受け付けると、第１及び第２の装着部４１，４２の装着状態を判定する。
【００８９】
起動時において、第１及び第２の装着部４１，４２の一方には、既にバッテリユニット（バッテリユニット３８，３９の一方）が装着されているので、制御部６０は、他方の装着状態を判定する。制御部６０は、選択された撮影モードが動画撮影か静止画撮影かを判定し（Ｓ１０２）、動画撮影が選択されている場合には（Ｓ１０２でＹ）、増設用のバッテリユニットが装着されているか否かを判定する（Ｓ１０３）。静止画撮影が選択されている場合には（Ｓ１０２でＮ）、増設用のメモリユニット４０が装着されているか否かを判定する（Ｓ１０４）。
【００９０】
Ｓ１０３、Ｓ１０４の判定結果がそれぞれ肯定（Ｙ）の場合には、撮影開始指示の入力を待機して（Ｓ１０５）、撮影開始指示が入力された場合（Ｓ１０５でＹ）には、選択された撮影モードの撮影を開始する（Ｓ１０６）。静止画撮影の場合には撮影オーダに対応する撮影をすべて終了するまで撮影を継続し、動画撮影の場合には動画撮影の終了指示が入力されるまで撮影を継続して、終了する（Ｓ１０９）。
【００９１】
一方、Ｓ１０３、Ｓ１０４の判定結果がそれぞれ否定（Ｎ）の場合には、適切なユニットが装着されていないこと、及び適切なユニットの装着を促す旨のメッセージを表示する警告処理を実行する（Ｓ１０９）。警告処理において、制御部６０は、第１に、電子カセッテ２１のインジケータ４９に警告メッセージを表示する。具体的には、インジケータ４９がランプの場合にはランプの点灯や点滅させる。また、インジケータ４９が液晶パネルの場合には、警告を表すエラーコードやテキストメッセージを表示させる。制御部６０は、第２に、コンソール２４のディスプレイ２６に警告メッセージが表示されるように、撮影制御装置２３を通じて、警告信号をコンソール２４に送信する。
【００９２】
警告信号を受信したコンソール２４は、例えば図１２に示すような警告画面を表示する。図１２において、ディスプレイ２６に表示されるメッセージとしては、動画撮影が選択されているにも関わらずバッテリユニットが装着されていない場合には、図１２（Ａ）に示す警告画面２７１のように、「動画撮影が選択されていますが、増設用のバッテリユニットが装着されていません。バッテリユニットを装着してください」といったテキストメッセージが表示される。動画撮影が選択されている場合において、上記のような増設用バッテリユニットの装着を促す警告は、メモリユニット４０が装着されている場合や、何も装着されていない場合のどちらも同様に行われる。また、静止画撮影が選択されているにも関わらず、メモリユニット４０が装着されていない場合には、図１２（Ｂ）に示す警告画面２７２のように、「静止画撮影が選択されていますが、増設用のメモリユニットが装着されていません。メモリユニットを装着してください」といったテキストメッセージが表示される。静止画撮影が選択されている場合において、上記のようなメモリユニット４０の装着を促す警告は、増設用のバッテリユニットが装着されている場合や、何も装着されていない場合のどちらも同様に行われる。
【００９３】
こうした警告画面２７１、２７２は、図２に示す検査オーダ表示画面２６１などの操作画面上に重ねて表示される。制御部６０は、警告メッセージの内容に応じた警告信号をコンソール２４に送信し、コンソール２４は、警告信号の種類に応じて表示する警告画面２７１，２７２のどちらを表示するかを決定する。
【００９４】
このように、電子カセッテ２１は、撮影モードの選択指示を受け付けたときに、装着部４１，４２に適切なユニットが装着されているか否かを判定して、適切なユニットが装着されていない場合には警告を行うので、従来と比べて、撮影準備作業の早い段階で適切なユニットの装着忘れをオペレータに通知することができる。そのため、撮影準備作業の中断ややり直しが防止されるので、検査時間の長時間化や、被検者の精神的負担が増加することもない。
【００９５】
また、電子カセッテ２１のインジケータ４９に加えて、コンソール２４のディスプレイ２６に警告メッセージを表示するので、一方に表示する場合と比べて、警告メッセージをオペレータに確実に伝えることができる。また、警告のタイミングとしては、コンソール２４から入力された撮影モードの選択指示を、電子カセッテ２１が受け付けた直後であるので、オペレータは、ディスプレイ２６に表示される検査オーダ表示画面２６１を見ている可能性が高い。そのため、撮影準備作業の最初期の段階でオペレータに通知することができる。仮にオペレータがコンソール２４の警告メッセージを見逃しても、電子カセッテ２１のインジケータ４９にも警告メッセージが表示されるので、それを通じて確認することができる。
【００９６】
なお、電子カセッテ２１は、警告を表示するための２つのインジケータ４９を設けているが、警告処理の際、２つのインジケータ４９の一方だけを使用してもよいが、両方を使用することが好ましい。電子カセッテ２１を撮影台にセットしたり、被検体の撮影部位を電子カセッテ２１上に載置した場合において、電子カセッテ２１の一部が撮影台や被検体によって隠れてしまう場合がある。両方のインジケータ４９を使用すれば、一方が隠れた場合でも他方が露呈されていれば、オペレータに対して通知できるからである。
【００９７】
なお、本例においては、ディスプレイ２６やインジケータ４９を警告部として用いているが、それに代えてあるいは加えて、音声メッセージを出力するスピーカを警告部として用いてもよい。
【００９８】
制御部６０は、警告を行った後、適切なユニットの装着が行われるまでの間、警告メッセージを出し続けて、操作指示の受付を禁止する（Ｓ１０８）。このため、電子カセッテ２１に撮影開始指示が入力されても撮影が開始されないため、結果的に撮影動作が禁止される。このように警告に加えて、警告が行われている間、操作指示の受付を禁止することで、オペレータは警告を無視して作業を進めることができなくなる。そのため、警告の実効性が高まり、適切なユニットの装着が確実に行われる。加えて、電子カセッテ２１が動作しない状態で、Ｘ線の照射だけが行われて、被検者Ｈに対して無用な被曝を与えることも防止できる。
【００９９】
また、より確実に被検者Ｈに対する無用な被曝を防止するために、電子カセッテ２１の制御部６０からの警告信号を、撮影制御装置２３やコンソール２４が受信したときに、撮影制御装置２３やコンソール２４からＸ線発生装置１１に対して、Ｘ線の照射を禁止する禁止信号を送信するようにしてもよい。Ｘ線発生装置１１は、禁止信号を受けた場合には、誤って照射スイッチ１５が押下され場合でもＸ線の照射を開始しない。こうすれば、より確実に被検者Ｈの無用な被曝を防止することができる。
【０１００】
上記例においては、Ｘ線発生装置１１とＸ線撮影装置１２との間で、同期通信を行ってＸ線源１３からのＸ線の照射タイミングと、電子カセッテ２１の撮影タイミングの同期を行う例で説明したが、電子カセッテ２１としては、Ｘ線の照射開始や照射終了を自己検出するための照射検出センサを備えたものを使用してもよい。この場合には、Ｘ線発生装置１１とＸ線撮影装置１２の間で通信が行えないので、Ｘ線撮影装置１２から禁止信号を送ることはできないが、それ以外の警告については上記実施形態と同様な機能を備えることができる。
【０１０１】
また、上記例においては、撮影モードとして動画撮影が選択された場合において、電子カセッテ２１に増設用のバッテリユニットが装着されているか否かの判定、及び増設用のバッテリユニットの装着を促す警告を行うことに加えて、撮影モードとして静止画撮影が選択された場合において、電子カセッテ２１に増設用のメモリユニット４０が装着されているか否かの判定、及びメモリユニット４０の装着を促す警告の両方を行う例で説明したが、少なくとも動画撮影が選択された場合の判定及び警告が行われればよい。また、上記例においては、警告に加えて操作受付を禁止することにより撮影動作を禁止する処理を行う例で説明したが、少なくもと警告が行われればよい。
【０１０２】
上記例では、電子カセッテ２１を駆動するためのバッテリはすべて、装着部４１，４２に着脱自在な形態で説明したが、着脱自在なバッテリの他に、電子カセッテ２１の筐体３６内に着脱不能に内蔵される内蔵バッテリを設けてもよい。この場合には、内蔵バッテリがメインバッテリとして機能する。また、筐体３６に設ける装着部４１，４２は、どちらか１つだけでもよい。
【０１０３】
［第２実施形態］
第１実施形態の電子カセッテ２１では、装着部４１，４２を、筐体３６内にバッテリユニットが収まる形態としたが、装着部は、図１３に示す第２実施形態の電子カセッテ８０のような形態でもよい。電子カセッテ８０は、筐体８１の背面が増設用バッテリユニット８２の装着部８３となっている。バッテリユニット８２は、例えば、筐体８１と同じ平面形状及び平面サイズを有するパネル型である。
【０１０４】
バッテリユニット８２には、装着部８３と対面する面に凸型のコネクタ８４を設けるとともに、装着部８３には、コネクタ８４と嵌合する凹型のソケット８５を設けて、コネクタ８４とソケット８５とを介してバッテリユニット８２と電子カセッテ８０とが電気的に接続される。このような形態とすると、第１実施形態と比較して、バッテリ容量を大型化することができる。消費電力が大きな動画撮影の場合には非常に有効である。もちろん、第１実施形態と異なり、バッテリユニット８２の装着により筐体８１の厚みが増すため、フイルムやＩＰ用の撮影台などの既存の撮影台のトレイやスロットに装着できない場合もあるが、電子カセッテを寝台の天板上で使う場合には問題は無い。
【０１０５】
［第３実施形態］
第１実施形態では、バッテリユニットとメモリユニットが、それぞれが独立したユニットである例で説明したが、図１４に示す機能部ユニット９０のように、増設用のバッテリ６７と増設用メモリ９１の両方を１つのユニットにしてもよい。機能部ユニット９０の場合には、動画撮影と静止画撮影の場合に増設用のユニットを入れ替えなくても済む。この場合には、制御部６０は、機能部ユニット９０が装着されていれば、動画撮影及び静止画撮影のどちらが選択されている場合でも、警告を行わずに撮影を許容する。
【０１０６】
［第４実施形態］
図１５に示す電子カセッテ１００のように、筐体１０１に、商用電源からの電力の供給を受けるための電源ケーブル１０２を接続可能なコネクタ１０３を有しており、バッテリの代わりに商用電源からの電力供給よって駆動することが可能である。この場合には、電子カセッテ１００の制御部６０は、電源ケーブル１０２が接続されているか否かを判定して、電源ケーブル１０２が接続されている場合には、装着部４１，４２へのバッテリユニットの装着状態に関わらず、警告を行わずに動画撮影を許容する。
【０１０７】
本発明は、上記各実施形態に限定されるものではなく、発明の要旨を逸脱しない範囲で種々変形して実施することが可能である。
【０１０８】
例えば、上記各実施形態において、増設用のユニットの装着状態に応じて警告を行う処理を実行するモードと、実行しないモードが切り替えられるようにしてもよい。例えば、動画撮影が短時間で終了することが確実で、装着済みの１つのバッテリユニットや内蔵バッテリの残量があることが確実な場合には、増設用のバッテリユニットが装着されていない状態でも、警告を行わずに動画撮影を許容した場合がよい場合もある。警告を行う処理を実行するモードと実行しないモードの切り替えができれば、そのような場合でも柔軟な対応が可能となる。
【０１０９】
また、機能部ユニットとして、バッテリが収容されるバッテリユニット３８，３９、メモリが収容される持つメモリユニット４０や、メモリとバッテリが収容される機能部ユニット９０を例に説明したが、機能部ユニットに内蔵される機能部品としては、メモリやバッテリに限らず、通信部や、バッテリの残量を表示するインジケータなどでもよい。例えば、通信部として、内蔵の通信部よりも通信速度が速い通信部を有する機能部ユニットとすれば、機能部ユニットの増設により高速通信が可能となる。また、上述した、Ｘ線の照射を検出する照射検出センサを機能部ユニットとして構成してもよい。
【０１１０】
また、図１６に示す機能部ユニット１１０には、バッテリが収容されるとともに、インジケータ１１１が設けられている。インジケータ１１１は、機能部ユニット１１０が装着部４１に装着されたときに外部に露呈されるように、機能部ユニット１１０の前面に設けられている。
【０１１１】
また、図１７〜１９に示すように、第１及び第２の装着部の形態及びレイアウトは適宜変更可能である。図１７に示す電子カセッテ１２０のように、筐体３６の角部において、２つの側面３６ｃ、３６ｆ及び照射面３６ａの３面を切り欠いて、装着部１２１，１２２を形成してもよい。もちろん、２つの側面及び照射面を切り欠いた形状に限らず、１つの側面と照射面または背面、あるいは２つの側面を切り欠いた形状でもよい。
【０１１２】
また、第１実施形態の電子カセッテ２１では、長辺方向に沿った１つの側面に第１の装着部４１を、短辺方向に沿った１つの側面に第２の装着部４２を設けているが、図１８に示す電子カセッテ１３０のように、長辺方向に沿って配置された２つの側面または短辺方向に沿って配置された２つの側面にそれぞれ取り出し口１３１ａ、１３２ａを有する第１及び第２の装着部１３１，１３２を設けてもよい。電子カセッテ１３０では、長辺方向に沿って配置された、筐体１３６の２つの側面にそれぞれ第１及び第２の装着部１３１，１３２が設けられている。第１及び第２の装着部１３１，１３２は、それぞれ収納部１３３と、バッテリユニット３８，３９またはメモリユニット４０のコネクタ４３，４４，４５と接続されるソケット１３４からなる。
【０１１３】
電子カセッテ１３０が用いられる撮影台としては、例えば、互いに対向する２つの取り付け部を有し、一方と他方の取り付け部とでは、互いに反対の取り付け方向から取り付けるようになっており、一方の取り付け部では、電子カセッテ１３０の長辺方向に沿った１つの側面を露呈させ、他方の取り付け部では電子カセッテ１３０の長辺方向に沿った１つの側面を露呈させる形態のものも考えられる。この場合には、電子カセッテ１３０は、対向する側面にそれぞれ第１及び第２の装着部１３１，１３２が設けられているため、撮影台の２つの取り付け部のいずれに取り付けられたときも、一方の装着部が露呈される。
【０１１４】
また、図１９に示す電子カセッテ１４０のように、２つの装着部１４１，１４２を、１つの面の異なる位置に配置してもよい。電子カセッテ１４０では、筐体１４３の長辺方向に沿って配置された側面に第１及び第２の装着部１４１，１４２が設けられている。
【０１１５】
撮影台の種類によっては、電子カセッテが取り付けられたときに、撮影台の取り付け部の形状や大きさによって、電子カセッテの外周面のうちの１つの面（例えば側面）において露呈される領域が異なる場合がある。この場合には、電子カセッテ１４０のように、１つの面内の異なる位置に装着部を２つ配置しておくことで、ある撮影台においては、一方の装着部が外部に露呈し、別の撮影台においては、他方の装着部が外部に露呈されるということもあり得る。撮影台に応じて露呈される装着部を使い分ければ、電子カセッテを取り付けた状態でバッテリ交換が可能になる。
【０１１６】
また、図２０及び図２１に示す電子カセッテ１５０のように、装着部１５１の取り出し口１５１ａを塞ぐ蓋部材１５２ａ，１５２ｂを設けてもよい。
【０１１７】
蓋部材１５２ａ，１５２ｂは、取り出し口１５１ａの両側に軸支され、取り出し口１５１ａを塞ぐ閉じ位置と、筐体１５３の内部に向かって回動し、取り出し口１５１ａを開放する開放位置との間で観音開き状に開閉自在となっている。また、蓋部材１５２ａ，１５２ｂは、図示しない付勢部材によって閉じ位置に付勢されている。装着部１５１にバッテリユニット３８を装着する場合、図２１（Ａ）に示すように、コネクタ４３の端面で蓋部材１５２ａ，１５２ｂを押圧すると、付勢部材の付勢に抗して蓋部材１５２ａ，１５２ｂが閉じ位置から開放位置に回動する（図２１（Ｂ）に示す状態）。これにより、装着部１５１の内部が露呈してコネクタ４３をソケット１５４に接続することが可能となり、バッテリユニット３８を装着部１５１に収容することができる（図２１（Ｃ）に示す状態）。なお、バッテリユニット３９及びメモリユニット４０など他の機能部ユニットを装着する場合も同様である。装着部１５１は、バッテリユニット３８，３９やメモリユニット４０が装着されていない場合、蓋部材１５２ａ，１５２ｂによって取り出し口１５１ａが塞がれるため、筐体１５３内への塵埃などの進入を防ぐことができる。
【０１１８】
また、図２２に示す電子カセッテ１６０のように、バッテリユニット１６１の側面に着脱方向に沿って延びるガイド片１６１ａ，１６１ｂを設けており、電子カセッテ１６０に設けられた装着部１６２には、ガイド片１６１ａ，１６１ｂが嵌合するガイド溝１６３ａ，１６３ｂが形成されている。ガイド片１６１ａ，１６１ｂ及びガイド溝１６３ａ，１６３ｂに沿ってバッテリユニット１６１を移動させることで、バッテリユニット１６１を着脱方向にガイドすることができる。これに限らず、装着部にガイド片を設け、バッテリユニットにガイド片と嵌合するガイド溝を設けて、バッテリユニットを着脱方向にガイドしてもよい。なお、機能部ユニットでも当然、同様のガイド片またはガイド溝を設けてもよい。また、ガイド片及びガイド溝は、バッテリユニットまたは機能部ユニットの片面だけに設けてもよい。
【０１１９】
上記各実施形態では、電子カセッテが取り付けられる撮影台として、臥位撮影台に例を上げたが、図２３に示すように、立位撮影台１７０でもよい。立位撮影台１７０は、床に据え付けられたスタンド１７１と、電子カセッテ２１が着脱自在に取り付けられる取り付け部としてのホルダ１７２とからなる。ホルダ１７２は、側面から内部に連通するスロット１７３が設けられ、スロット１７３に挿入された電子カセッテ２１を保持することができる。スロット１７３の内部は、電子カセッテ２１の長辺方向がホルダ１７２の長辺方向と平行な縦姿勢、または電子カセッテ２１の長辺方向がホルダ１７２の長辺方向と直交する横姿勢のいずれの取り付け姿勢でも電子カセッテ２１が取り付けられるように略Ｌ字状に形成されている。
【０１２０】
上記各実施形態では２つの装着部を例に説明したが、装着部を３つ以上設けて、２つ以上の機能部ユニット（増設用バッテリユニットや増設用メモリユニット）を装着できるようにしてもよい。この場合において、動画撮影が選択された場合の警告を行うかの否かの判定基準としては、２つ以上の装着部の全てに増設用バッテリユニットが装着されている場合に警告を行うようにしてもよいし、増設用バッテリユニットが１つでも装着されている場合には警告を行わずに、動画撮影を許容してもよい。静止画撮影が選択された場合における増設用メモリユニットの判定基準についても同様である。
【０１２１】
また、上記各実施形態及び変形例を種々組み合わせてもよい。さらに、上記実施形態における警告メッセージや警告画面の内容は１例であり、種々の変更が可能である。
【０１２２】
また、上記実施形態では、Ｘ線画像検出装置である電子カセッテと、撮影制御装置及びコンソールをそれぞれ別体で構成した例で説明したが、撮影制御装置の機能を電子カセッテに内蔵したり、撮影制御装置に加えてコンソールの機能を電子カセッテに内蔵する等、電子カセッテと、撮影制御装置やコンソールを一体化してもよい。
【０１２３】
本発明は、Ｘ線に限らず、γ線等の他の放射線を使用する撮影システムにも適用することができる。
【０１２４】
さらに、上記説明より、以下の付記項に記載の発明も把握することができる。
［付記１］
放射線源から照射され被検体を透過した放射線を受けて放射線画像を検出する画像検出部であり、前記放射線画像の静止画撮影と動画撮影の両方が可能な画像検出部と、
前記画像検出部を収容する筐体と、
前記筐体に設けられ、機能拡張用の機能部ユニットが装着される装着部と、
前記装着部に、前記機能部ユニットが装着されているか否か、及び装着されている前記機能部ユニットの種類を判定する装着状態判定部と、
静止画撮影を行うか動画撮影を行うかの選択指示を受け付ける指示受付部と、
前記指示受付部が動画撮影の選択指示を受け付けた場合において、前記装着状態判定部の判定結果に基づいて、前記選択指示に応じた適切な前記機能部ユニットが装着されているか否かを判定し、適切な前記機能部ユニットが装着されていない場合には、その装着を促す警告を発するように制御する制御部とを備えていることを特徴とする可搬型放射線画像検出装置。
【符号の説明】
【０１２５】
１０  Ｘ線撮影システム
１１  Ｘ線発生装置
１２  Ｘ線撮影装置
２１  電子カセッテ（可搬型放射線画像検出装置）
２２  臥位撮影台
２３  撮影制御装置
２５  ＦＰＤ（画像検出部）
３８，３９  バッテリユニット
４０  機能部ユニット
４１，４２  装着部
６６，６７  バッテリ
６８  フラッシュメモリ
９１  増設用メモリ
【図１】
0005763507.tif 000002
【図２】
0005763507.tif 000003
【図３】
0005763507.tif 000004
【図４】
0005763507.tif 000005
【図５】
0005763507.tif 000006
【図６】
0005763507.tif 000007
【図７】
0005763507.tif 000008
【図８】
0005763507.tif 000009
【図９】
0005763507.tif 000010
【図１０】
0005763507.tif 000011
【図１１】
0005763507.tif 000012
【図１２】
0005763507.tif 000013
【図１３】
0005763507.tif 000014
【図１４】
0005763507.tif 000015
【図１５】
0005763507.tif 000016
【図１６】
0005763507.tif 000017
【図１７】
0005763507.tif 000018
【図１８】
0005763507.tif 000019
【図１９】
0005763507.tif 000020
【図２０】
0005763507.tif 000021
【図２１】
0005763507.tif 000022
【図２２】
0005763507.tif 000023
【図２３】
0005763507.tif 000024